(57)【要約】  合成樹脂にて形成した被保護物の表紙を覆う冊子カバー１である。この冊子カバー１は、カバー本体２と、このカバー本体２に設けた被保護物の表紙の少なくとも一部を挿入する表紙挿入部３とを備える。表紙挿入部３は、冊子カバー１を閉じた際にカバー本体２における外側に位置する表地部と、この表地部の周縁に一体的に設けた折返部７と、表地部に対向するように折返部７に接合し冊子カバーを閉じた際に表地部より内側に位置する裏地部８と、被保護物の表紙を挿入するための開口部９とを有している。また、裏地部８の開口部９を形成する一端縁部の長さは、表地部の開口部９を形成する一端縁部の長さより短く形成する。裏地部８の一端縁部の長さが表地部６の一端縁部の長さより短いことにより、表紙挿入部３の開口部９と直交する側縁部の内部に間隙ができるので、被保護部材に冊子カバー１を装着し易い。
2009069193.tif 000002
【特許請求の範囲】
【請求項１】
合成樹脂製のシートにて形成され被保護物の表紙を覆う冊子カバーであって、
カバー本体と、
このカバー本体に設けられ前記被保護物の表紙の少なくとも一部を挿入する表紙挿入部とを備え、
前記表紙挿入部は、前記冊子カバーを閉じた際に前記カバー本体において外側に位置する表地部と、この表地部の周縁に一体的に設けられた折返部と、前記表地部に対向するように前記折返部に接合され前記冊子カバーを閉じた際に前記表地部より内側に位置する裏地部と、前記被保護物の表紙を挿入するための開口部とを有し、
前記裏地部の前記開口部を形成する一端縁部の長さは、前記表地部の前記開口部を形成する一端縁部の長さより短く形成された
ことを特徴とする冊子カバー。
【請求項２】
裏地部は、開口部を形成する一端縁部の他端側の角部に設けられた位置決め片を有する
ことを特徴とした請求項１記載の冊子カバー。
【発明の詳細な説明】
【技術分野】
【０００１】
本発明は、例えば冊子や書籍、シート状のパンフレット等の被保護物の表紙を覆い保護する冊子カバーに関するものである。
【背景技術】
【０００２】
例えば冊子や書籍、シート状のパンフレット等の被保護物を覆い保護するものとしては、表紙挿入部と背部とを備え、前記表紙挿入部は、最も外側に位置する軟質合成樹脂製の表地シートと、閉じた際に最も内側に位置する軟質合成樹脂製の裏地シートと、前記表地シートおよび前記裏地シートの間に位置し外力による被保護物の損傷を保護する硬質合成樹脂製または板紙製の保護シートと、前記裏地シートと前記保護シートとの間に位置し前記表地シートに接合されて前記保護シートを固定する軟質合成樹脂製の固定シートとの４層にて構成され、前記保護シートによって外力により前記被保護物の損傷を防止するカバーが知られている（例えば、特許文献１参照。）。【０００３】
また、被保護物の表紙を覆って保護する主面部材と、この主面部材に一体的であり折返し可能に形成され折返した状態で被保護物のページ間に挟み込まれるしおり片とを備え、前記しおり片により、前記被保護物における目的とするページに目印を設けられるカバーが知られている（例えば、特許文献２参照。）。
【特許文献１】実開昭６３−６６２６０号公報（第１−２頁、第８図）
【特許文献２】特許第３７２３５２５号公報（第１−６頁、図１）
【発明の開示】
【発明が解決しようとする課題】
【０００４】
しかしながら、上述した特許文献１および特許文献２のようなカバーは、装着の容易性が考慮されておらず、カバーと被保護物との大きさが同等の場合、カバーを装着する際に、カバーにおける被保護物の表紙を挿入する部分の内側縁部と被保護物の端縁部とが接触し易いので、この接触による摩擦によってカバーを装着し難い問題が考えられる。【０００５】
本発明は、このような点に鑑みなされたもので、被保護物に容易に装着できる冊子カバーを提供することを目的とするものである。
【課題を解決するための手段】
【０００６】
請求項１に記載された冊子カバーは、合成樹脂製のシートにて形成され被保護物の表紙を覆う冊子カバーであって、カバー本体と、このカバー本体に設けられ前記被保護物の表紙の少なくとも一部を挿入する表紙挿入部とを備え、前記表紙挿入部は、前記冊子カバーを閉じた際に前記カバー本体において外側に位置する表地部と、この表地部の周縁に一体的に設けられた折返部と、前記表地部に対向するように前記折返部に接合され前記冊子カバーを閉じた際に前記表地部より内側に位置する裏地部と、前記被保護物の表紙を挿入するための開口部とを有し、前記裏地部の前記開口部を形成する一端縁部の長さは、前記表地部の前記開口部を形成する一端縁部の長さより短く形成されたものである。【０００７】
請求項２に記載された冊子カバーは、請求項１記載の冊子カバーにおいて、裏地部は、開口部を形成する一端縁部の他端側の角部に設けられた位置決め片を有するものである。
【発明の効果】
【０００８】
請求項１記載の発明によれば、裏地部の開口部を形成する一端縁部の長さが表地部の前記開口部を形成する一端縁部の長さより短く形成されることにより、表紙挿入部の前記開口部と直交する側縁部の内部に間隙ができるので、被保護部材に冊子カバーを容易に装着できる。【０００９】
請求項２記載の発明によれば、裏地部が位置決め片を有するので、裏地部と折返部とを適切な位置で接合し易く、容易に製造できる。
【図面の簡単な説明】
【００１０】
【図１】本発明に係る冊子カバーの一実施の形態を示す平面図である。
【図２】同上冊子カバーのカバー本体の展開状態を示す平面図である。
【図３】（ａ），（ｂ）いずれも同上冊子カバーの裏地部を示す平面図である。
【図４】同上冊子カバーの表紙挿入部を示す断面図である。
【符号の説明】
【００１１】
１    冊子カバー
２    カバー本体
３    表紙挿入部
６    表地部
７    折返部
８    裏地部
９    開口部
14    位置決め片
【発明を実施するための最良の形態】
【００１２】
以下、本発明の一実施の形態を図１ないし図４を参照しながら詳細に説明する。【００１３】
図１に示される冊子カバー１は、例えば冊子や書籍、シート状のパンフレット等の被保護物の表紙を覆い、保護するものである。【００１４】
この冊子カバー１は、シート状のカバー本体２を備え、このカバー本体２には、被保護物の表表紙または裏表紙の少なくとも一部を挿入する表紙挿入部３が二つ設けられている。【００１５】
図２に示されるように、カバー本体２は、例えばポリプロピレンやポリエチレンテレフタレート（ＰＥＴ）、ポリ塩化ビニル等の合成樹脂製のシートにて長手方向を有する略矩形状に形成されている。このカバー本体２の長手方向の略中央部には、折畳部４が設けられ、この折畳部４にてカバー本体２を折畳むことにより、冊子カバー１が閉じられる。また、折畳部４には、複数の折畳線５が形成されており、冊子カバー１を閉じる際には、被保護物の厚さに応じて複数の折畳線５のいずれかにて折畳部４が折畳まれる。【００１６】
表紙挿入部３は、カバー本体２に形成され冊子カバー１を閉じた際にカバー本体２において外側に位置する表地部６と、この表地部６の周縁に一体的に設けられた複数の折返部７と、表地部６に対向するように折返部７に接合され冊子カバー１を閉じた際に表地部６より内側に位置する裏地部８とから形成される。【００１７】
表紙挿入部３は、カバー本体２の中央部側の端縁部に開口部９が形成され、カバー本体２の長手方向の端縁部から中央部へ向かって開口している。なお、表紙挿入部３の開口部９の位置は、カバー本体２の長手方向の端縁部から折畳部４までの間であれば、想定される被保護物によって適宜設定できる。【００１８】
表地部６の周縁と折返部７との境界部分には、境界線10が設けられ、折返部７には、折返部７の長手方向に沿って折返線11が設けられている。【００１９】
各折返部７は、境界線10にて折り曲げられ表地部６に対して起立状態となり、さらに、折返線11にて表地部６側へ折返される。【００２０】
そして、折返した状態の折返部７の内側面に裏地部８を例えば溶着等で接合して接合部13が形成され、表紙挿入部３が形成される。【００２１】
図３（ａ），（ｂ）に示されるように、裏地部８は、例えばポリプロピレンやポリエチレンテレフタレート（ＰＥＴ）、ポリ塩化ビニル等の合成樹脂製のシートにて長手方向を有する略矩形状に形成されている。【００２２】
また、裏地部８の開口部９を形成する一端縁部である幅方向の一端縁部の長さは、表地部６の開口部９を形成する一端縁部である幅方向の一端縁部の長さより短く形成されている。【００２３】
図３（ｂ）に示されるように、表紙挿入部３の開口部９となる裏地部８の端縁部には、切り欠き12が設けられている。この切り欠き12が設けられることにより、開口部９を開口しやすく、表紙挿入部３へ被保護物の表紙を挿入し易いので好ましい。さらに、被保護部材の表紙を冊子カバー１の表紙挿入部３に挿入する際に、開口部９の開口による力が切り欠き12にかかり、開口部９の開口により接合部13にかかる力を分散させて、接合部13の損傷を抑制できるので好ましい。なお、開口部９となる裏地部８の端縁部の一部にのみ切り欠き12を設けることには限定されず、開口部９となる裏地部８の端縁部全体を例えば曲線状等で切り欠いてもよい。【００２４】
図４に示されるように、裏地部８における表紙挿入部３の開口部９を形成する一端縁部である幅方向の一端縁部の長さが、表地部６における表紙挿入部３の開口部９を形成する一端縁部である幅方向の一端縁部の長さより短いので、表紙挿入部３の開口部９と直交する側縁部である長手方向の側縁部の内部に間隙が形成される。【００２５】
裏地部８における表紙挿入部３の開口部９を形成する一端縁部の他端側の角部には、位置決め片14が設けられている。【００２６】
この位置決め片14は、略台形状に形成され、裏地部８の長手方向の側縁部から外側へ突出するように一体的に形成されている。また、裏地部８の位置決め片14を含めた長手方向の長さは、表地部６の長手方向の長さと同等である。【００２７】
ここで、裏地部８の幅方向の一端部の長さが表地部６の幅方向の一端部の長さより短く形成されていると、裏地部８を折返部７に接合する際に接合位置がずれ易くなってしまい、例えば接合ずれ等の接合不良の発生の増加が考えられる。そこで、折返部７と裏地部８とを接合する際には、位置決め片14の先端部が表地部６と折返部７との境界線10上に位置した状態で接合する。【００２８】
なお、この実施の形態では、カバー本体２が長手方向を有する略矩形状に形成されているが、カバー本体２の形状は、長手方向を有する矩形状には限定されず、想定される被保護物や用途に応じて適宜設定できる。【００２９】
また、カバー本体２に、二つの表紙挿入部３が設けられており、二つの表紙挿入部３が設けられることにより、被保護物の表表紙および裏表紙の両方をそれぞれ挿入して、冊子カバー１が被保護物を覆った状態を確実に保持できるので好ましいが、このような構成には限定されず、例えば表紙挿入部３を一つだけ設け、被保護物の表表紙または裏表紙のいずれか一方を表紙挿入部３に挿入して保持する構成等でもよい。【００３０】
さらに、二つの表紙挿入部３のうちの一方は、開口部９が折畳部４の端部に設けられ、他方は、開口部９がカバー本体２の長手方向の端縁部と折畳部４との間に設けられて、大きさの異なる表紙挿入部３が形成された構成としたが、このような構成には限定されず、例えば二つの表紙挿入部３を同様の大きさにした構成等でもよい。【００３１】
また、折返部７を境界線10にて起立させ、折返線11にて表地部６側へ折返す構成とすることにより、表紙挿入部３内の挿入スペースを大きくでき、被保護物の表紙を挿入し易いので好ましいが、このような構成には限定されず、折返部７に折返線11を設けずに、折返部７を境界線10にて表地部６側に折返す構成としてもよい。【００３２】
さらに、折返した状態の折返部７の内側面に裏地部８を接合する構成としたが、折返した状態の折返部７の外側面に裏地部８を接合する構成としてもよい。【００３３】
また、裏地部８に位置決め片14を設けた構成とすることにより、折返部７と裏地部８とを適切な位置で接合し易く、接合不良が発生し難いので好ましいが、位置決め片14を設けない構成としてもよい。なお、裏地部８の位置決め片14を含めた長手方向の長さが、表地部６の長手方向の長さと同等であれば、位置決め片14の形状は、台形状には限定されない。【００３４】
カバー本体２を透明な合成樹脂にて形成することにより、冊子カバー１が装着された状態であっても被保護物を確認できるので好ましいが、カバー本体２を透明な合成樹脂にて形成することに限定されず、例えば着色された合成樹脂にて形成し、他人から被保護物を見え難くしてもよい。【００３５】
また、裏地部８を透明な合成樹脂によって形成することにより、表紙挿入部３に被保護物の表紙とともに例えば被保護物に関連するメモ等を挿入し、冊子カバー１を開いた際にそのメモ等を確認できるで好ましいが、裏地部８を透明な合成樹脂にて形成することに限定されない。【００３６】
さらに、カバー本体２および裏地部８は、想定される用途やコストに応じて例えば紙製のシート等で形成してもよい。【００３７】
次に、上記一実施の形態の作用および効果を説明する。【００３８】
冊子カバー１は、例えば、冊子や書籍、シート状のパンフレット等の被保護物の表紙を覆うように装着される。この冊子カバー１は、表紙挿入部３に被保護物の表紙の少なくととも一部を挿入して装着する。表紙挿入部３に被保護物の表紙を挿入することにより、冊子カバー１が被保護物の表紙を覆った状態を保持できる。【００３９】
そして、冊子カバー１によれば、裏地部８の幅方向の一端部の長さが表地部６の幅方向の一端部の長さより短く形成されたことにより、表紙挿入部３の長手方向の側縁部の内部に間隙が形成されるので、被保護物の表紙の端部が冊子カバー１の表紙挿入部３の内壁に接触し難く、被保護物に冊子カバー１を装着し易い。【００４０】
また、折返部７に折返線11を設け、折返部７を境界線10にて折り曲げて表地部６に対して起立状態にし、折返線11にて折返部７を表地部６側へ折返すことにより、表紙挿入部３内の挿入スペースが大きくできるので、被保護物の表紙をより挿入し易くできる。【００４１】
裏地部８が位置決め片14を有するので、裏地部８を折返部７に接合する際に位置決め片14の先端部を境界線10上に位置した状態にすることにより、裏地部８と折返部７とを適切な位置で接合し易く、例えば接合ずれ等の接合不良を抑制し、容易に製造できる。【００４２】
また、位置決め片14は、表紙挿入部３の開口部９とは他端側に設けられるので、被保護物の表紙を表紙挿入部３に挿入する際に、挿入の妨げになり難い。
【産業上の利用可能性】
【００４３】
本発明は、例えば、冊子や書物、シート状のパンフレット等の表紙を覆い保護する冊子カバーに適用できる。
【図１】
2009069193.tif 000003
【図２】
2009069193.tif 000004
【図３】
2009069193.tif 000005
【図４】
2009069193.tif 000006
【国際調査報告】
2009069193.tif 000007
2009069193.tif 000008